(57)【要約】  電子機器用携帯式支持装置。上記携帯式支持装置は、支持を提供するために、電子機器に接続することができる。上記携帯式支持装置は、中央脚部の近位端に結合されたヨーク保持器と、上記中央脚部の遠位端に結合された中央足部とを有する中央部を有する。上記携帯式支持装置は、また、上記中央部に結合された側支持体部を含むことができる。上記側支持体部は、三脚台を形成するために展開することができる。調整可能機器受け器は、受けヨーク内に受け入れられるボールコネクタと、上記ボールコネクタに接続されたつまみとを含むことができ、上記つまみは、電子機器の開口部に挿入可能に構成することができる。【選択図】図１Ａ
2018503031.tif 000002
【特許請求の範囲】
【請求項１】
中央脚部の近位端に連結されたヨーク保持器と、前記中央脚部の遠位端に結合された中央足部とを含む中央部であって、前記中央部が前記近位端から前記遠位端に走る長手方向軸（Ｘ−Ｘ）を有する、中央部と、
前記中央部の第１側に回動可能に結合された第１肩部と、第１側足部に結合された第１側脚部とを含む第１側支持体部と、
前記中央部の第２側に回動可能に結合された第２肩部と、第２側足部に結合された第２側脚部とを含む第２側支持体部と、
前記ヨーク保持器に接続された受けヨークと、第１および第２ヨーク肩部と、調整可能機器受け器とを含むボールジョイントであって、前記調整可能機器受け器が前記受けヨーク内で受け取られるボールコネクタと、前記ボールコネクタに接続されたつまみとを有し、前記つまみは、前記電子機器の開口部内で受け入れられる、ボールジョイントとを含む、電子機器のための携帯式支持装置。
【請求項２】
前記第１側脚部と前記第２側脚部が前記中央部の側プロファイル内に含まれる、携帯可能な構成と、前記第１側脚部と前記第２側脚部がそれぞれあらかじめ設定された角度で回動可能に展開される、展開された構成とをさらに含む、請求項１に記載の装置。
【請求項３】
前記あらかじめ設定された角度が、前記中央部の長手方向軸（Ｘ−Ｘ）ならびに前記第１ヨーク肩部および前記第２ヨーク肩部の間に走る軸（Ｙ−Ｙ）によって形成される平面に関して形成される、請求項２に記載の装置。
【請求項４】
前記あらかじめ設定された角度が、前記中央部の前記長手方向軸（Ｘ−Ｘ）に関して形成される、請求項２に記載の装置。
【請求項５】
前記あらかじめ設定された角度が１３０度を超えている、請求項２に記載の装置。
【請求項６】
前記展開された構成が三脚台を形成する、請求項２に記載の装置。
【請求項７】
前記携帯式支持装置が前記展開された構成にあるとき、前記中央足部、前記第１側足部、および前記第２側足部が正三角形を形成する、請求項２に記載の装置。
【請求項８】
前記調整可能機器受け器の接続ボールが前記受けヨークの受け領域で弾性的に回動可能であり、および弾性的に回転可能である、請求項１に記載の装置。
【請求項９】
前記調整可能な受け器が、前記中央部の前記長手方向軸（Ｘ−Ｘ）に関して、あらかじめ設定された１１１度の回動の最大範囲を有する、請求項１に記載の装置。
【請求項１０】
前記調整可能な受け器が、前記第１ヨーク肩部と前記第２ヨーク肩部の間に走る軸（Ｙ−Ｙ）に垂直であり、前記中央部の前記長手方向軸（Ｘ−Ｘ）と整列する平面に対し２８度の回動のあらかじめ設定された最大範囲を有する、請求項１に記載の装置。
【請求項１１】
少なくとも１つの前記第１側脚部および前記第２側脚部が開口ツールを含む、請求項１に記載の携帯式支持装置。
【請求項１２】
前記開口ツールが側脚部に形成されたフィレットとへこみ部とを含み、前記フィレットと前記へこみ部は互いに隣接され、前記フィレットが前記へこみ部より前記受けヨークから大きい距離である、請求項１１に記載の携帯式支持装置。
【請求項１３】
前記開口ツールがボトルオープナーとして動作可能である、請求項１２に記載の携帯式支持装置。
【請求項１４】
前記ボールコネクタと前記つまみが一体的に形成される、請求項１に記載の携帯式支持装置。
【請求項１５】
前記ボールコネクタと前記つまみが硬質プラスチックを含む材料で形成される、請求項１５に記載の携帯式支持装置。
【請求項１６】
前記受けヨークが前記ボールコネクタに圧縮力をかける、請求項１に記載の携帯式支持装置。
【請求項１７】
前記受けヨークが前記ボールコネクタの材料より軟らかいプラスチックを含む材料から形成される、請求項１に記載の携帯式支持装置。
【請求項１８】
前記中央脚部、前記第１側脚部および前記第２側脚部が、亜鉛合金、ステンレススチール、真鍮、アルミニウム合金、ばね鋼、またはプラスチック樹脂の少なくとも１つから構成される、請求項１に記載の携帯式支持装置。
【請求項１９】
前記中央脚部、前記第１側脚部および前記第２側脚部が、それぞれ、その中に形成された少なくとも１つの中空を有する、請求項１に記載の携帯式支持装置。
【請求項２０】
携帯式支持装置が前記展開された構成にあるとき、前記調整可能機器受け器が形成された前記正三角形の角を通る円に対して偏心している、請求項７に記載の携帯式支持装置。
【請求項２１】
近位端および遠位端を含む中央部であって、前記中央部の前記近位端に配置されるヨーク保持器と、前記中央部の前記遠位端に配置される中央足部とを含む中央部と、
前記中央部の第１側に回動可能に結合された近位端を有する第１側部であって、前記第１側部の第１足部が前記第１側部の前記近位端の反対側の遠位端に配置される、第１側部と、
前記中央部の第２側に回動可能に結合された近位端を有する第２側部であって、前記第２側部の第２足部が前記第２側部の前記近位端の反対側の遠位端に配置される、第２側部と、
前記ヨーク保持器と回転可能に係合し、複数の位置および配向の間に回転可能なボールジョイントと、
前記ボールジョイントに結合され、携帯式コンピュータ機器に着脱可能に結合されて動作可能な機器受け器とを含む、携帯式コンピュータ機器のための携帯式支持機器。
【請求項２２】
前記中央部と前記側部は、携帯可能な構成および展開された構成の間で動くように動作可能であり、前記携帯可能な構成で、前記第１側部および前記第２側部が前記中央部の前記近位端から前記遠位端まで走る長手方向軸と軸方向に整列され、前記展開された構成で、前記第１側部および前記第２側部が携帯可能な構成からあらかじめ設定された角度に回動可能に展開される、請求項２１に記載の機器。
【請求項２３】
前記あらかじめ設定された角度が、前記中央部の前記長手方向軸、および前記ボールジョイントで互いに対向して位置する第１および第２ヨーク肩部の間に走る軸によって形成される平面に対し形成される、請求項２２に記載の機器。
【請求項２４】
前記あらかじめ設定された角度が少なくとも１３０度である、請求項２２に記載の機器。
【請求項２５】
前記中央部および前記側部が、前記展開された構成で、三脚台を形成し、前記三脚台は、前記複数の位置および配向の間で前記携帯式コンピュータ機器に機械的に取り付けられ、前記携帯式コンピュータ機器を移動させるように動作可能である、請求項２２に記載の機器。
【請求項２６】
前記展開された構成で、前記中央足部、前記第１足部、および前記第２足部が正三角形を形成する、請求項２２に記載の機器。
【請求項２７】
前記機器受け器が、前記機器が前記展開された構成にあるとき形成される前記正三角形の角を通る円に対して偏心している、請求項２６に記載の装置。
【請求項２８】
前記機器受け器の接続ボールが、前記ヨーク保持器の受け領域内で弾性的に回転可能である、請求項２１に記載の機器。
【請求項２９】
前記機器受け器が、前記中央部の前記近位端から前記遠位端に走る長手方向軸に対して、１１１度のあらかじめ設定された回転範囲を有する、請求項２８に記載の機器。
【請求項３０】
前記機器受け器が、前記ボールジョイントで互いに対向して位置する第１ヨーク肩部および第２ヨーク肩部の間に走る軸に垂直な平面に対し、２８度のあらかじめ設定された回転範囲を有し、前記機器受け器は、前記中央部の前記近位端から前記遠位端に走る長手方向軸と整列される、請求項２８に記載の機器。
【請求項３１】
前記第１部または前記側部の少なくとも１つが、開口ツールを含む、請求項２１に記載の機器。
【請求項３２】
前記開口ツールが前記第１部または前記側部の少なくとも１つと一体的に形成される、請求項３１に記載の機器。
【請求項３３】
前記開口ツールが前記第１部または前記側部の少なくとも１つに形成されたフィレットとへこみ部とを含み、前記フィレットと前記へこみ部は互いに隣接され、前記開口ツールがボトルオープナーである、請求項３２に記載の機器。
【請求項３４】
前記機器受け器のボールコネクタとつまみが一体的に形成される、請求項２１に記載の機器。
【請求項３５】
前記ボールコネクタと前記つまみが硬質プラスチックを含む材料で形成される、請求項３４に記載の機器。
【請求項３６】
前記ボールジョイントの受けヨークが、前記機器受け器のボールコネクタ上に圧縮力をかけて、前記あらかじめ設定された回転範囲の間に前記機器受け器を移動させる、請求項２８から３０のいずれかに記載の機器。
【請求項３７】
前記第１側部および前記第２側部のそれぞれが、前記中央部の個々の第１および第２ストップ支持体に接触するまで、展開された構成で回転するように動作可能である、請求項２８から３０のいずれかに記載の機器。
【請求項３８】
ストップ支持体のそれぞれは、個々の側部が、前記展開された構成で、個々のストップ部と同一平面であるように、前記中央部の前記長手方向軸に対してあらかじめ設定された角度に配向される、請求項３７に記載の機器。
【請求項３９】
前記ストップ支持体の１つまたは両方が、さらに、前記ストップ支持体を前記個々の側部に固定するロック機構を含む、請求項３７に記載の機器。
【請求項４０】
前記ロック機構が、クリックフィットコネクタ、バンド、またはフックおよび面ファスナーである、請求項３９に記載の機器。
【請求項４１】
中央脚部を第１および第２側脚部に結合することであって、該側脚部のそれぞれが、携帯可能な構成および展開された構成から、あらかじめ設定された回転範囲の間で前記中央脚部の両側に回動可能に結合され、およびあらかじめ設定された回転範囲の間で回動可能であるように、結合することと、
前記携帯可能な構成が、お互いほぼ平面となる中央脚部および側脚部によって画定され、前記展開された構成が、三脚台を形成するように、前記中央部の個々の回転軸周りに前記中央脚部から離れるように回転する前記側脚部の各々によって画定され、
前記中央部の近位端にヨーク保持器を配置することと、
ボールジョイントを前記ヨーク保持器と回転可能に係合することであって、前記ボールジョイントが複数の位置および配向の間で回転可能であるように、係合することと
機器受け器を前記ボールジョイントに結合することであって、前記機器受け器が、前記携帯式コンピュータ機器に着脱可能に結合されるように動作可能であるように、結合することとを含む、携帯式コンピュータ機器のための三脚台を形成する方法。
【請求項４２】
前記機器受け器を前記携帯式コンピュータ機器に着脱可能に結合することをさらに含む、請求項４１に記載の方法。
【請求項４３】
前記中央脚部および前記側脚部によって画定される正三角形を形成するように、前記中央脚部の個々のストップ部に接触するまで、側部の各々を回動させることをさらに含む、請求項４１または４２に記載の方法。
【請求項４４】
個々の前記側部が、前記展開された構成で、前記個々のストップ部と同一面であるように、それぞれの個々のストップ部を配向させることをさらに含む、請求項４３に記載の方法。
【請求項４５】
前記個々の側部を、前記個々のストップ部のロック機構を有する前記個々のストップ部に固定して取り付けることをさらに含む、請求項４１から４４のいずれかに記載の方法。
【請求項４６】
前記中央脚部および前記側脚部の遠位端に足部を配置することをさらに含む、請求項４１に記載の方法。
【請求項４７】
前記足部の各々が個々の脚部と一体的に形成され、前記足部のそれぞれが、引張力を誘導する表面をさらに含む、請求項４６に記載の方法。
【請求項４８】
前記ヨーク保持器の受け領域内で、前記機器受け器の接続ボールを回転させることをさらに含む、請求項４１または４２に記載の方法。
【請求項４９】
前記機器受け器が前記携帯式コンピュータ機器の照明ポート、マイクロＵＳＢポート、またはオーディオポートに着脱可能に結合される、請求項４２から４８のいずれかに記載の方法。
【請求項５０】
前記中央脚部の近位端から遠位端に走る長手方向軸に対して、１１１度のあらかじめ設定された回転範囲にわたって前記機器受け器を回転させることをさらに含む、請求項４１から４９のいずれかに記載の方法。
【請求項５１】
前記ボールジョイントで互いに対向して位置する第１および第２ヨーク肩部の間に走る軸に垂直な平面に対し、あらかじめ設定された２８度の回転範囲にわたって、前記機器受け器を回転させることと、前記機器受け器を前記中央脚部の近位端から遠位端に走る長手方向軸と整列させることとをさらに含む、請求項４１から４９のいずれかに記載の方法。
【請求項５２】
前記ボールジョイントの受けヨークから前記機器受け器のボールコネクタ上に圧縮力をかけ、それによって、前記機器受け器を前記あらかじめ設定された回転範囲の間を移動させることをさらに含む、請求項５０または５１に記載の方法。
【請求項５３】
前記中央脚部および前記側脚部のうちの１つまたは複数を空洞化することをさらに含む、請求項４１から５２のいずれかに記載の方法。
【請求項５４】
前記ボールジョイントを前記正三角形の中心からあらかじめ設定されたオフセット距離に位置決めすることをさらに含む、請求項４３に記載の方法。
【請求項５５】
前記携帯式コンピュータ機器を傾けることと、前記あらかじめ設定されたオフセット距離は、前記正三角形の中心と整列するように、前記携帯式コンピュータ機器の重心を移動させることとをさらに含む、請求項５４に記載の方法。
【請求項５６】
前記携帯式コンピュータ機器が横向きに配置されるように、前記携帯可能な構成で、前記中央脚部および前記側脚部の各々の間にキックスタンドを形成することをさらに含む、請求項４２に記載の方法。
【請求項５７】
前記ボールジョイントで互いに対向して位置する第１および第２ヨーク肩部の間に前記ボールジョイントにより形成された機器受け器ストッパによってブロックされるまで、前記機器受け器のボールを回転させることをさらに含む、請求項４１から５６のいずれかに記載の方法。
【発明の詳細な説明】
【技術分野】
【０００１】
関連出願への相互参照
本出願は、米国特許法第１１９条（ｅ）に基づき、２０１４年１１月１３日に出願され、発明名称が「電子機器用の携帯式スタンド」の米国仮特許出願番号第６２／０７９，５２９号の優先権および利益を主張し、出願の全内容は完全に記載された場合と同程度にここに引用されて組みこまれているものとする。
【０００２】
本明細書の主題は、概して、携帯式支持機器に関し、特に電子機器用折り畳み式三脚台に関する。
【背景技術】
【０００３】
三脚台アセンブリは、通常、カメラなどの機器用の支持構造を形成するために展開することができる３本の脚を含む。しかし、このようなアセンブリは、それらの関連機器へ実装することに関し、または各脚が如何に安定するかに関し、使用するのがたいてい困難である。さらに、このような三脚台は、小さく、移動可能なコンピュータ機器に対し不安定であることが知られており、また比較的安定した、平らな面を必要とし得る
【０００４】
したがって、そのような三脚台は、それらが使用される様式、使いやすさ、個々の機器に付与することができる支持において、制限される。
【０００５】
以下で説明する様々な実施形態は、これらおよびその他を考慮して提示される。
【発明の概要】
【０００６】
本開示内の少なくとも１つの実施形態は、電子機器用の携帯式支持装置である。携帯式支持装置は、支持を提供するために、電子機器に接続することができる。携帯式支持装置は、中央脚部の近位端に連結されたヨーク保持器を有する中央部を有することができる。中央部は、また、中央脚部の遠位端に結合された中央足部を有することができ、長手方向軸は、中央部の近位端から遠位端までそれに沿って走ることができる。携帯式支持装置はまた、前記中央部の第１側に回動可能に結合された第１肩部および第１側足部に連結された第１側脚部を有する第１側支持体部を含むことができる。
【０００７】
携帯式支持装置はまた、前記中央部の第２側（中央部の第１側の反対側）に回動可能に結合された第２肩部および第２側足部に連結された第２側脚部を有する第２側支持体部を含むことができる。さらに、携帯式支持装置は、ヨーク保持器に接続された受けヨークを含むボールジョイントを含むことができる。ボールジョイントは、たとえば携帯電話またはカメラ等の電子機器のような機器に着脱可能に取り付けることができる調整可能機器受け器を含むことができる。調整可能機器受け器は、受けヨーク内に受け入れられるボールコネクタ、およびボールコネクタに結合されたつまみを含むことができる。つまみは、電子機器の開口部に挿入可能にそしてその中で受け入れられるように構成される。
【０００８】
少なくとも１つの実施形態では、携帯式支持装置は、第１側脚部および第２側脚部が、中央部の側面プロファイル内に含まれる携帯可能な構成、および第１側脚部と第２側脚部が、それぞれ、中央部の長手方向軸に対してあらかじめ設定された角度で回動可能に展開された、展開された構成を有する。あらかじめ設定された角度は１３０度（１３０°）を超えることができる。携帯式支持装置が展開された構成にあるとき、それが三脚台を形成することができることが、理解されるだろう。少なくとも１つの実施形態では、あらかじめ設定された角度は１３０度（１３０°）未満とすることができる。少なくとも１つの実施形態では、あらかじめ設定された角度は、中央部の長手方向軸、および第１ヨーク肩部と第２ヨーク肩部との間に走る軸によって形成される平面に対して形成される。
【０００９】
携帯式支持装置の少なくとも１つの実施形態では、中央足部、第１側足部および第２側足部は、携帯式支持装置が展開された構成にあるとき、正三角形を形成することができる
また、調整可能機器受け器は、携帯式支持装置が展開された構成にあるとき、形成された正三角形の角を通る円に対して偏心することができる。これにより、電子機器は、携帯式支持装置により高い安定性をもって支持される。
【００１０】
少なくとも１つの実施形態では、調整可能機器受け器の接続ボールは、受けヨークの受け領域内で、弾性的に回動可能であり、弾性的に回転可能である。少なくとも１つの実施形態では、調整可能な受け器は、中央部の長手方向軸に対して、あらかじめ設定された１１１度（１１１°）の最大回動範囲を有することができる。少なくとも１つの実施形態では、調整可能な受け器は、中央部の長手方向軸に垂直な軸に対して、あらかじめ設定された２８度（２８°）の最大回動範囲を有することができる。
【００１１】
少なくとも１つの実施形態では、第１側脚部または第２側脚部のいずれか、またはその両方が、その中に形成された開口ツールを有する。少なくとも１つの実施形態において、開口ツールがフィレットと側脚部に形成されたへこみ部とを含む。フィレットとへこみ部は、フィレットが、へこみ部より受けヨークから大きい距離である状態で、互いに隣接することができる。開口ツールは、ボトルオープナーであることができる。
【００１２】
少なくとも１つの実施形態において、ボールコネクタおよびつまみが硬質プラスチックなどの材料から一体的に形成される。少なくとも１つの実施形態では、受けヨークは、ボールコネクタに圧縮力をかけるように構成することができる。受けヨークは、ボールコネクタの材料よりも柔らかいプラスチックを含む材料で形成することができる。中央脚部、第１側脚部および第２側脚部は、亜鉛合金、ステンレス鋼、真鍮、アルミニウム合金、ばね鋼、またはプラスチック樹脂から構成されることができる。
【００１３】
少なくとも１つの実施形態では、中央脚部、第１側脚部および第２側脚部は、それらの側面に形成される空洞を有することができるが、これらにより、携帯式支持装置の重量を減らすことができる。
【００１４】
他の実施形態では、携帯式コンピュータ機器用の携帯式支持機器が提供される。近位端および遠位端を有する中央部が使用されてもよく、ヨーク保持器は中央部の近位端上に配置することができる。中央足部は、中央部の遠位端に配置することができる。第１側部は、前記中央部の第１側に回動可能に結合される近位端を有し、第１側部の第１足部は、第１側部の近位端に対向する遠位端に配置することができる。同様に、第２側部は、前記中央部の第２側に回動可能に結合される近位端を有し、第２側部の第２足部は、第２側部の近位端に対向する遠位端に配置することができる。ボールジョイントは、それが、複数の位置および配向の間で回転可能であるように、ヨーク保持器と回転可能に係合することができる。機器受け器をボールジョイントに結合することができ、携帯式コンピュータ機器に着脱可能に結合されるように動作可能にすることができる。
【００１５】
この実施形態では、中央部と側部は、携帯可能な構成と展開された構成との間で移動するように動作可能であることができる。この点で、携帯可能な構成は、中央部の近位から遠位端に走る長手方向軸と軸方向に整列している第１および第２側部によって画定することができる。これらの部分の各々は、したがって、相互に平面であることができる。対照的に、展開された構成において、第１および第２側部があらかじめ設定された角度に携帯可能な構成から回動可能に展開することができる。あらかじめ設定された角度を、中央部の長手方向軸ならびにボールジョイントで互いに反対側に位置する第１および第２ヨーク肩部の間に走る軸によって形成される平面に関して形成することができる。
【００１６】
あらかじめ設定された角度は、少なくとも１３０度とすることができる。展開された構成では、中央部および側部は、複数の位置および配向の間で携帯式コンピュータ機器に機械的に取り付けられ、携帯式コンピュータ機器を動かすように動作可能な三脚台を形成することができる。さらに、展開された構成では、中央足部、第１足部および第２足部が正三角形を形成することができる。
【００１７】
他の実施形態では、機器受け器は、機器が展開された構成にあるとき、形成された正三角形の角を通る円に対して、偏心することができる。機器受け器の接続ボールは、また、ヨーク保持器の受け領域内で、弾性的に回転可能であることができる。機器受け器は、中央部の端部によって画定されて走る長手方向軸に対してあらかじめ設定された１１１度の回転範囲を有することができる。機器受け器はまた、ボールジョイント上で互いに対向して位置している第１および第２ヨーク肩部の間に走る軸に垂直な平面に対してあらかじめ設定された２８度の回転範囲を有することができる。機器受け器は、中央部の長手方向軸と整列することができる。
【００１８】
いくつかの実施形態では、ボールジョイントの受けヨークは、機器受け器のボールコネクタに圧縮力をかけて、あらかじめ設定された回転範囲の間で機器受け器を動かすことができる。第１および第２側部の各々はまた、中央部の個々の第１および第２ストップ支持体に接触するまで、展開された構成で回転するように動作可能であり得る。
【００１９】
各側部が、展開された構成における各ストップ部と同一平面であるように、ストップ支持体は、中央部の長手方向軸に対してあらかじめ設定された角度に配向することができる。ストップ支持体の１つまたは両方が、ストップ支持体をそれぞれの側部に固定するために、ロック機構を含むことができる。ロック機構は、クリック嵌め式のコネクタ、バンド、またはフックおよび面ファスナーとすることができる。
【００２０】
他の実施形態では、携帯式コンピュータ機器のための三脚台を形成する方法が開示される。この方法は、以下のステップを含むことができる。中央脚部を第１および第２側脚部に結合することであって、該側脚部のそれぞれが、携帯可能な構成および展開された構成からあらかじめ設定された回転範囲の間で前記中央脚部の両側に回動可能に結合され、およびあらかじめ設定された回転範囲の間で回動可能であるように、結合することと、前記携帯可能な構成が、お互いほぼ平面となる中央脚部および側脚部によって画定され、前記展開された構成が、三脚台を形成するように、前記中央部の個々の回転軸周りに前記中央脚部から離れるように回転する前記側脚部の各々によって画定され、前記中央部の近位端にヨーク保持器を配置することと、ボールジョイントを前記ヨーク保持器と回転可能に係合することであって、前記ボールジョイントが複数の位置および配向の間で回転可能であるように、係合することと、機器受け器を前記ボールジョイントに結合することであって、前記機器受け器が、携帯式コンピュータ機器に着脱可能に結合されるように動作可能であるように、結合することとを含む。
【００２１】
添付の図面と併せて以下の詳細な説明を検討するとき、本開示の他の態様および特徴は、当業者には明らかになるであろう。
【００２２】
本技術の実施について、ここで、添付図面を参照して、単なる例として説明する。
【図面の簡単な説明】
【００２３】
【図１Ａ】図１Ａは、例示的な実施形態による支持機器を示す。
【図１Ｂ】図１Ｂは、例示的な実施形態による開口ツールを有する携帯式支持機器を示す。
【図２】図２は、例示的な実施形態による携帯可能な構成における携帯式支持機器を示す。
【図３】図３は、図２と同様であるが、例示的な実施形態による別の角度から見たものである。
【図４Ａ】図４Ａは、例示的な実施形態による携帯式支持機器の分解図を示す。
【図４Ｂ】図４Ｂは、例示的な実施形態による携帯式支持機器の平面図を示す。
【図５】図５は、例示的な実施形態による、展開された構成における携帯式支持機器の背面図を示す。
【図６】図６は、例示的な実施形態による、展開された構成における携帯式支持機器の正面図を示す。
【図７】図７は、例示的な実施形態による展開された構成における携帯式支持機器の左側面図を示す。
【図８Ａ】図８Ａは、例示的な実施形態による、調整可能機器受け器が第１位置にある状態での携帯可能な構成での携帯式支持機器の右側面図を示す。
【図８Ｂ】図８Ｂは、図８Ａ同様であるが、例示的な実施形態による、調整可能機器受け器が第２位置にある場合を示す。
【図８Ｃ】図８Ｃは、図８Ａと同様であるが、例示的な実施形態による、調整可能機器受け器が第３位置にある場合を示す。
【図８Ｄ】図８Ｄは、図８Ａと同様であるが、例示的な実施形態による調整可能機器受け器の動作の範囲を示す。
【図９】図９は、携帯可能な構成における携帯式支持機器の正面図を示すが、調整可能機器受け器が例示的な実施形態による別の動作の範囲を有する。
【図１０】図１０は例示的な実施形態による電子機器と結合された展開された構成における携帯式支持機器を示す。
【図１１】図１１は、図１０と同様であるが、例示的な実施形態による別の角度から見た場合である。
【図１２】図１２は、展開された構成における携帯式支持機器であって、調整可能機器受け器の位置が例示的な実施形態による等辺スタンスの中心からオフセットした距離に置かれている場合を示す。
【図１３】図１３は、例示的な実施形態によるキックスタンドとして使用されている携帯式支持機器を示す。
【発明を実施するための形態】
【００２４】
説明を簡単に明確にするため適切な参照番号は、対応または類似する要素を示すために、異なる図面の間で繰り返される。加えて、多数の具体的な詳細は、本明細書に記載の実施態様の完全な理解を提供するために記載される。しかしながら、当業者は、本明細書に記載の実施態様は、これらの特定の詳細なしに実施できることを理解するであろう。記載されている関連する関連機能を不明瞭にしないように、他の例では、方法、手順および構成要素は詳細に説明されていない。また、説明は、本明細書に記載の実施態様の範囲を限定するものと見なされるべきではない。
【００２５】
さらに、開示された技術の例示的な実施形態を詳細に説明するが、他の実施形態が考えられることを理解すべきである。したがって、開示された技術は、以下の説明または図面に記載の構造および構成要素の配置の詳細にその範囲が限定されることは意図されていない。開示された技術は、他の実施形態が可能であり、様々な方法で実施される。
【００２６】
本明細書中で、および特許請求の範囲において用いるように、単数の形態「ある」、「該」、「前記」は、文脈上別途明確に指定しない限り、複数の言及を含む。「備える」または「含有する」または「含む」は、少なくとも挙げられた合成物、要素、微粒子、または方法ステップが、組成物または項目または方法の中に存在するが、他の合成物、材料、微粒子、方法ステップの存在を排除しないことを意味し、たとえ、他のそのような合成物、材料、微粒子、方法ステップが、挙げられたものと同一機能を有する場合であってもそうである。
【００２７】
種々の実施形態を説明する中で、特有の用語が明確にする目的で使用される。各用語は、当業者によって理解されるように、その最も広義の意味を意図しており、また、同じような目的を達成するために同様の態様で作用する全ての技術的な均等物を包含することを意図する。１つまたは複数の方法のステップについて言及することは、明示的に特定されるそれらステップ間に、追加の方法のステップまたは介在する方法のステップが存在することを排除しないことも理解されるべきである。方法のステップは開示された技術の範囲を逸脱することなく、本明細書とは異なる順序で実行されてもよい。同様に、デバイスまたはシステム内の１つまたは複数の構成要素について言及することは、明示的に特定される構成要素間に、追加の構成要素または介在する構成要素が存在することを排除しないことも理解されるべきである。
【００２８】
図に戻り、図１Ａは、展開された構成２００における携帯式支持機器１００を示す。携帯式支持機器１００は、金属またはプラスチックなどの任意の材料で作ることができる。少なくとも１つの実施形態において、携帯式支持機器１００は、ザマック５亜鉛合金からなることができる。しかし、携帯式支持機器１００は、これに限定されず、ステンレススチール、ばね鋼、および／または真鍮で作られてもよい。携帯式支持機器１００は、中央脚部１３８と、第１側支持体部１１６と、第２側支持体部１１８とを有することができる。第１側支持体部１１６は、方向Ａに沿って中央脚部１３８に関し、回動するように構成することができる。第１側支持体部１１６が、第１ストップ支持体１４０によりブロックされるまで、回動することができ、展開された構成２００で角度４００を形成することができる。第１側支持体部１１６が、角度をつけられて、携帯式支持機器１００を上昇させるように、第１ストップ支持体１４０は位置決めすることができる。第２側支持体部１１８は、方向Ｂに沿って中央脚部１３８に関し、回動するように構成することができる。第２側支持体部１１８は、第２ストップ支持体１４２によってブロックされるまで回動することができ、展開された構成２００における角度４０２を形成することができる。第２ストップ支持体１４２は、第２停止支持１１８が、角度をつけられて、携帯式支持機器１００を上昇させるように、位置決めすることができる。
【００２９】
図１Ｂは、携帯式支持機器１００が、開口ツール１５０を含むことができることを示す。図１Ｂに示すように、携帯式支持機器１００は、展開された構成２００にある。携帯式支持機器１００は、中央部１１４に沿って第１軸Ｘ−Ｘを有することができる。携帯式支持機器は、第１ヨーク肩部１３４と第２ヨーク肩部１３６との間に走る第２軸Ｙ−Ｙを有することができる。
【００３０】
第１および第２ストップ支持体１４０および１４２の各々は、脚部１３８から外向きに延在することができ、図示されるようにヨーク肩部１３４と１３６と一体に形成されてもよく、またはその１つ、またはその両方が支持体に着脱可能に取り付けられてもよい。また、角度４００および４０２のそれぞれは、図１Ａに示されている肩部１３４と１３６の場合のように固定されていてもよい、または好みや必要性に応じ、任意の角度で調整可能であってもよい。最後に、ロック機構が、展開された構成で、所望または必要に応じて確実に各部分と係合するように、支持体１４０、１４２と個々の部分１１６、１１８の間に設けられてもよい。
【００３１】
図２および図３は、携帯可能な構成３００において開口ツール１５０を含む携帯式支持機器１００を示す。携帯可能な構成３００において、部分１１４、１１６、および１１８は互いに隣接して組み立てられ、部分１１６および１１８は、関連支持体１４０と１４２と接触すると、もはや外側へ回動されないことがわかる。
【００３２】
携帯可能な構成にあるとき、中央脚部１３８、第１側支持体部１１６および第２側支持体部１１８を軸方向に整列させることができ、および／または互いに概ね平面であることができ、それによって部分１１４、１１６および１１８は、互いに組み立てられるのを可能にする。この点において、構成３００は、図１Ａおよび図１Ｂに示される展開された構成２００に素早く展開することができる高い携帯性の形式要因を有する機器１００を提供することができる。
【００３３】
図示されているように、携帯式支持機器１００は、肩部１３４および１３６上に配置される、および／またはそれらと連通して配置されるつまみ１０６を含むことができる。つまみ１０６が電子機器５００に挿入され、受け入れられることができる。少なくとも１つの実施形態では、つまみ１０６は、機器５００の充電ポートに受け入れられるように構成することができる。他の実施形態では、つまみ１０６は、機器５００の、照明ポートやマイクロＵＳＢポートに受け入れられるように、および／またはオーディオポートに差し込まれるように構成することができる。また、機器５００によって受け入れられるとき、つまみ１０６が対応する機器５００と確実に係合し、および／または機器５００を機械的に支持するように動作可能であってもよい。この点に関して、つまみ１０６は、選択的に、安定した接続のために電子機器５００に対応することができる凹部またはくびれ部１０７を含むことができる。くびれ部１０７は電子機器５００との接続をさらに安定させることができるへこみ１０８、１０９を含むことができる。
【００３４】
つまみ１０６は、また、ボール１０５に接続することができる。ボール１０５は、携帯式支持機器１００内で回転することができる。ボール１０５は、機器５００が、使用中の如何なる配向および／または如何なる位置の間にでも調整可能であることができるように、回転することができる。
【００３５】
少なくとも１つの実施形態において、開口ツール１５０を、第１側支持体部１１６上に含めることができる。他の実施形態では、開口ツール１５０を、第２側支持体部１１８上に含めることができる。開口ツール１５０は、へこみ部１５２とフィレット１５４を含むことができる。少なくとも１つの実施形態において、開口ツール１５０はボトルを開くために使用することができる。ボトルキャップは、へこみ部１５２に挿入することができる。フィレット１５４は、ボトルキャップの底をクリップすることができ、トルクを加えて、ボトルキャップをボトルから外すことができる。また、ツール１５０は、図示されているように、部分１１８と一体的に形成されてもよい、または着脱可能にそれに取り付けられてもよい。他のツール１５０が、部分１１６または脚部１３８と一緒に組み込まれてもよい。最後に、開口ツール１５０は、必ずしも開口ツールでなくてもよい。代わりに、ツール１５０が、装置１００に着脱可能に取り付けられるこれらの実施形態で、ツール１５０は、機器５００用のスタイラス、すなわち、装置５００などと無線通信および／または制御するように動作可能な遠隔機構を含む任意の他のツールであってもよい。
【００３６】
図４Ａは、本明細書に開示された携帯式支持機器１００の分解図を示す。図示されているように、第１側支持体部１１６および第２側支持体部１１８を回動可能に中央部１１４に結合することができる。少なくとも１つの実施形態において、第１側支持体部１１６と第２側支持体部１１８とを結合機器１６０によって中央部１１４に回動可能に結合することができる。
【００３７】
図示されているように、結合機器１６０は、ワッシャ１６２と係合機器１６４を含むことができる。係合機器１６４は、細長い部材、ボルト、ネジ、ロッド、ピン、またはより広い基部から延び、ワッシャ１６２を通過することができる任意の他の固定機構によって規定することができる。図４Ａに見られるように、複数の係合機器１６４が設けられ、個々の第１側支持体部１１６および個々の第２側支持体部１１８を中央部１１４に回動可能に結合することができる。
【００３８】
中央部１１４は、ヨーク保持器１３２を含むことができる。ヨーク保持器１３２は、第１ヨーク肩部１３４と第２ヨーク肩部１３６とを含むことができる。第１ヨーク肩部１３４および第２ヨーク肩部１３６は、それぞれ第１支持ストップ１４０および第２支持ストップ１４２を含むことができる。図示されているように、ヨーク保持器１３２は、ヨーク１１２を受け入れ、確実に係合するように動作可能なクレードル形状であってもよい。
【００３９】
携帯式支持機器１００は、また、ジョイント１０２を含むことができる。ジョイント１０２は、調整可能機器受け器１０４と受けヨーク１１２とを含むことができる。調整可能機器受け器１０４は、前述したつまみ１０６とボール１０５とを含むことができる。受けヨーク１３２は、ボール受け器１１０を含むことができる。ボール受け器１１０は、ボール１０５を受け取ることができる。ボール１０５は、ボール受け器１１０内で回転し、ボール受け器１１０は、機器受け器ストッパ１１１を含むことができる。機器受け器ストッパ１１１は、ボール１０５の回転を制限することができる。ボール１０５の回転を制限することにより、つまみ１０６と確実に係合したとき、電子機器５００の向きも制限される。受けヨーク１１２は、ヨーク保持器１３２によって受け取られることができる。受けヨーク１１２がヨーク保持器１３２に受け取られるとき、第１ヨーク肩部１３４と第２ヨーク肩部１３６は、ジョイント１０２にクランプ力を発揮することができる。特定の実施形態では、クランプ力は、クランプ力が加えられるときだけ、ボール１０５を回転させるのを可能にする。通常の動作中のほとんどの場合、もし、クランプ力が加えられない場合、ボール１０５は、電子機器５００の角度にかかわらず、電子機器５００がボールにしっかりと取り付けられた状態で、その位置を均一に維持することができる。
【００４０】
少なくとも１つの実施形態では、中央部１１４の中央脚部１３８は構造強度を維持しつつ、中空、および／または穴を開けて、重さを減少させることができる。他の実施形態では、中央脚部１３８は、依然として構造強度を維持しつつ、重量を減少させるために中空チャンバ１７０（図７に示すように）を有することができる。選択的に、チャンバ１７０は、脚１３８に構造的補強を提供するために、１つまたはリブ、トラス、または構造部材によって画定することができる。少なくとも１つの実施形態において、中空チャンバ１７０は、中央脚部１３８（図７に示すように）の側にあることができる。他の実施形態では、中空チャンバ１７０は、中央脚部１３８のいずれの側にあってもよい。
【００４１】
図４Ａに戻り、中央部１１４は、中央脚部１３８の遠位端上の中央足部受け器１２６を含むことができる。中央足部受け器１２６は、中央足部１２０を受け取るように構成することができる。中央足部１２０は、金属またはプラスチックなどの任意の材料で作ることができ、中央足部１２０は、ゴムなどの引張力を誘導する任意の材料で作ることができる
【００４２】
第１側支持体部１１６は、第１側脚部１１７を含むこともできる。少なくとも１つの実施形態では、第１側脚部１１７は、構造強度を維持しつつ、重量を減少させるために、中空であることができる。他の実施形態では、第１側脚部１１７は、構造強度を維持しつつ、重量を減少させるために、中空チャンバ１７２（図５に示すように）を有することができる。第１側支持体部１１６は、第１側脚部１１７の遠位端に第１側足部受け器１２８を含むことができる。第１側足部受け器１２８は、第１側足部１２２を受け入れるように構成することができる。第１側足部１２２は、金属またはプラスチックなどの任意の材料で作ることができる。少なくとも１つの実施形態では、第１側足部１２２は、ゴム等、引張力を誘導する任意の材料で作ることができる。
【００４３】
第２側支持体部１１８は、第２側脚部１１９を含むことができる。少なくとも１つの実施形態では、第２側脚部１１９は、構造強度を維持しつつ、重量を減少させるために、中空であることができる。他の実施形態では、第２側脚部１１９は、構造強度を維持しつつ、重量を減少させるために、中空チャンバ１７４を有することができる。（図４Ａおよび図５を参照）。第２側支持体部１１８は、第２側脚部１１９の遠位端の第２側足部受け器１３０を含むことができる。第２側足部受け器１３０は、第２側足部１２４を受け取るように構成することができる。第２側足部１２４は、金属またはプラスチック等の任意の材料で作ることができる。少なくとも１つの実施形態では、第２側足部１２３は、引張力を誘導するゴムなどの任意の材料で作ることができる。
【００４４】
足部１２０、１２２、および１２４のそれぞれは、使用中に足部１２０、１２２および１２４を介して吸収されるかまたは受け入れられ得る衝撃や打撃を減少させるために、その下部表面接触部上に位置するエラストマを含んでもよいことに留意すべきである。足部１２０、１２２、および１２４は、図示されるように、それぞれの部分に着脱可能に取り付けられてもよい一方で、機器１００は、これに限定されず、代わりに、足部１２０、１２２、および１２４は一体的に形成されてもよい。
【００４５】
図４Ｂは、携帯式支持機器１００の上面図を示す。図示のように、携帯式支持機器１００は、前述した携帯可能な構成３００である。ボール１０５は、第１ヨーク肩部１３４によって保持されているのがわかり、第２ヨーク肩部１３６はボール１０５が自由に回転するのを防ぐ。機器受け器ストッパ１１１は、ボール受け器１１０の後部に含めることができ、さらにボール１０５の回転を制限する。
【００４６】
図５および図６は、前述した展開された構成２００の中で、携帯式支持機器１００の背面および正面図を各々示す。展開された構成２００は、第１側支持体部１１６および第２側支持体部１１８が第１支持ストップ１４０および第２支持ストップ１４２によってブロックされるまで回動するとき、達成できる。中央脚部１３８とともに、第１側支持体部１１６および第２側支持体部１１８は、正三角形のスタンスを作ることができる。この構成は、対応する電子機器５００に安定性と上昇の両方を加えるので、特に有利である。
【００４７】
図５は、また、少なくとも１つの実施形態では、中央脚部１３８が、構造強度を維持しつつ、重量を減少させるために中空とすることができることを示す。他の実施形態では、中央脚部１３８は、構造強度を維持しつつ、重量を減少させるために中空チャンバ１７０を有することができる。少なくとも１つの実施形態では、第１側脚部１１７は、構造強度を維持しつつ、重量を減少させるために中空であることができる。他の実施形態では、第１側脚部１１７は、構造強度を維持しつつ、重量を減少させるために中空チャンバ１７２（図５に示すように）を有することができる。少なくとも１つの実施形態では、第２側脚部１１９は、構造強度を維持しつつ、重量を減少させるために中空であることができる。他の実施形態では、第２側脚部１１９は、構造強度を維持しつつ、重量を減少させるために中空チャンバ１７４を有することができる。
【００４８】
図７は、展開された構成２００にある携帯式支持機器１００の左側面図を示す。上記のように、中央脚部１３８とともに、第１側支持体部１１６および第２側支持体部１１８は、正三角形のスタンスを作ることができる。ジョイント１０２は、正三角形のスタンスの中心からのオフセットした距離に位置することができる。電子機器５００を、電子機器５００の前面がユーザに向かって上方に向くように、後方に傾斜させるとき、オフセットは、正三角形スタンスの中心とより接近して整列するように、電子機器５００の重心を移動させることができる。この整列は、携帯式支持機器１００の安定性を向上させることができる。さらに、オフセットが、重心を前方に移動させる一方で、後方傾斜は、電子機器５００の重心をスタンスの後方に移動させることができる。
【００４９】
図８Ａ〜８Ｄは、携帯可能な構成３００にある携帯式支持機器１００の右側面図を示す。図８Ａ〜８Ｄは、また、携帯可能な構成３００にある第１側支持体部１１６、第２側支持体部１１８、および中央部１１４が整列してプロファイル３０１を形成し、部分１１４、１１６、および１１８の各々は、互いに実質的に平面でもよいことを示す。プロファイル３０１は、第１側部支持部１１６、第２側支持体部１１８、および中央部１１４の１つのサイズであることができる。
【００５０】
図８Ａを参照すると、ボール１０５は、つまみ１０６が、プロファイル３０１と整列されるように配置される。図８Ｂを参照すると、ボール１０５が、つまみ１０６がプロファイル３０１に垂直であるように配置される。この位置では、図１３に示すように、携帯式支持機器１００を、キックスタンドとして使用することができる。図８Ｃを参照すると、ボール１０５は、調整可能機器受け器１０４が、機器受け器ストッパ１１１によってブロックされるように、回転する。調整可能機器受け器１０４が、機器受け器ストッパ１１１によってブロックされるとき、ボール１０５は、軸Ｙ−Ｙ（図１Ｂに示すように）に沿ってさらに回転することができない。図８Ｄは、軸Ｙ−Ｙに沿ってボール１０５の動きの範囲を示す。ボール１０５は、角度Ａｌ、Ａ２、Ａ３、または角度Ａ３内の任意の角度の間に調整可能機器受け器１０４を移動させるために、軸ＹＹに沿って回転することができる。
【００５１】
図９を参照して、調整可能機器受け器１０４は、また、軸Ｚ−Ｚに沿って回転することができる（図１Ｂに示すように）。ボール１０５は、調整可能機器受け器１０４が、受けヨーク１１２によってブロックされるまで、軸Ｚ−Ｚに沿って回転することができる。そのようにして、ボールが角度Ｂ１、Ｂ２、Ｂ３、または角度Ｂ３内の任意の角度の間に調整可能機器受け器１０４を移動させるために、軸Ｚ−Ｚに沿って回転することができる。
【００５２】
図１０および図１１を参照して、携帯式支持機器１００は、携帯式支持機器１００が電子機器５００に結合された状態で展開された構成２００にある。中央部１１４、第１側支持体部１１６、および第２側支持体部１１８は正三角形のスタンスに広げることができ、電子機器５００に安定性と所定の上昇の両方を加えることができる。
【００５３】
図１２は、電子機器５００が携帯式支持機器１００に結合されていない状態での、展開された構成２００にある携帯式支持機器１００を示す。上記のように、中央脚部１３８とともに、第１側支持体部１１６および第２側支持体部１１８は、図に示されるように展開されるとき、部分１１４、１１６、１１８のそれぞれによって画定されるように、正三角形のスタンスを作ることができる。ジョイント１０２は、正三角形のスタンスの中心からのオフセット距離に位置することができる。この点において、電子機器５００を、電子機器５００の前面がユーザに向かって上方に向くように、後方に傾斜させるとき、オフセット距離は、正三角形スタンスの中心とより接近して整列するように、電子機器５００の重心を移動させることができる。これは、図示の整列が、携帯式支持機器１００の安定性を向上させることができるので、特に有利である。オフセットが、重心を前方に移動させる一方で、後方傾斜は、電子機器５００の重心をスタンスの後方に移動させることができる。
【００５４】
図１３は、電子機器５００が携帯式支持機器１００に結合された状態で、携帯可能な構成３００にある携帯式支持機器１００を示す。図示の携帯可能な構成３００において、中央部１１４、第１側支持体部１１６、および第２側支持体部１１８は互いに整列し、前述したようにプロファイル３０１を形成することができる。調整可能機器受け器１０４が、プロファイル３０１に垂直な位置にあるとき、携帯式支持機器１００を、第１側支持体部１１６または第２側支持体部１１８のいずれかが電子機器５００を安定化させることができるキックスタンドとして使用することができる。電子機器５００は、横向きであることができる。
【００５５】
上述した実施形態は単なる例である。本技術の多くの特徴および利点は、本開示の構造および機能の詳細とともに、上記説明に記載されているが、本開示は、単に例示であり、本開示の本質の範囲内において、特許請求の範囲で使用される用語の広く一般的な意味によって示される最大の範囲で、形状、寸法、部品の配置に関して、細かい変更が行われてもよい。
【図１Ａ】
2018503031.tif 000003
【図１Ｂ】
2018503031.tif 000004
【図２】
2018503031.tif 000005
【図３】
2018503031.tif 000006
【図４Ａ】
2018503031.tif 000007
【図４Ｂ】
2018503031.tif 000008
【図５】
2018503031.tif 000009
【図６】
2018503031.tif 000010
【図７】
2018503031.tif 000011
【図８Ａ】
2018503031.tif 000012
【図８Ｂ】
2018503031.tif 000013
【図８Ｃ】
2018503031.tif 000014
【図８Ｄ】
2018503031.tif 000015
【図９】
2018503031.tif 000016
【図１０】
2018503031.tif 000017
【図１１】
2018503031.tif 000018
【図１２】
2018503031.tif 000019
【図１３】
2018503031.tif 000020
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
充電ポート、オーディオポート、照明ポート、またはマイクロユニバーサルシリアルバス（マイクロＵＳＢ）ポートの少なくとも１つを含む、携帯式コンピュータ機器のための携帯式支持機器であって、
近位端および遠位端を含む中央部であって、前記中央部の近位端に配置されるヨーク保持器と、前記中央部の遠位端に配置される中央足部とを含む中央部と、
前記中央部の第１側に回動可能に結合された近位端を有する第１側部であって、前記第１側部の第１足部が前記第１側部の前記近位端の反対側の遠位端に配置される、第１側部と、
前記中央部の第２側に回動可能に結合された近位端を有する第２側部であって、前記第２側部の第２足部が前記第２側部の前記近位端の反対側の遠位端に配置される、第２側部と、
前記ヨーク保持器と回転可能に係合し、複数の位置および配向の間に回転可能なボールジョイントとを含み、
前記ボールジョイントは、前記携帯式コンピュータ機器に着脱可能に結合されるように動作可能な調整可能機器受け器を含み、前記調整可能機器受け器は、ボールと前記ボールに接続されたつまみとを含み、前記つまみは、前記携帯式コンピュータ機器の充電ポート、オーディオポート、照明ポート、またはマイクロユニバーサルシリアルバス（マイクロＵＳＢ）ポートの少なくとも１つの中に挿入することができ、故に、受け入れられる、携帯式支持機器。
【請求項２】
前記中央部と前記側部は、携帯可能な構成および展開された構成の間で動くように動作可能であり、前記携帯可能な構成で、前記第１側部および前記第２側部が前記中央部の前記近位端から前記遠位端まで走る長手方向軸と軸方向に整列され、前記展開された構成で、前記第１側部および前記第２側部が前記携帯可能な構成からあらかじめ設定された角度に回動可能に展開される、請求項１に記載の携帯式支持機器。
【請求項３】
前記あらかじめ設定された角度が、前記中央部の前記長手方向軸（Ｘ−Ｘ）、および前記ボールジョイントで互いに対向して位置する第１および第２ヨーク肩部の間に走る軸（Ｙ−Ｙ）によって形成される平面に対し形成される、請求項２に記載の携帯式支持機器。
【請求項４】
前記あらかじめ設定された角度が少なくとも１３０度である、請求項２に記載の携帯式支持機器。
【請求項５】
前記中央部および前記側部が、前記展開された構成で、三脚台を形成し、前記三脚台は、前記複数の位置および配向の間で前記携帯式コンピュータ機器に機械的に取り付けられ、前記携帯式コンピュータ機器を移動させるように動作可能である、請求項２に記載の携帯式支持機器。
【請求項６】
前記展開された構成で、前記中央足部、前記第１足部、および前記第２足部が正三角形を形成し、前記調整可能機器受け器が前記正三角形の角を通る円に対して偏心している、請求項２に記載の携帯式支持機器。
【請求項７】
前記調整可能機器受け器の前記ボールが、前記ヨーク保持器に接続された、前記ボールジョイントの受けヨーク内で弾性的に回転可能である、請求項１に記載の携帯式支持機器。
【請求項８】
前記調整可能機器受け器が、前記中央部の前記近位端から前記遠位端に走る長手方向軸（Ｘ−Ｘ）に対して、１１１度のあらかじめ設定された回転範囲を有する、請求項１に記載の携帯式支持機器。
【請求項９】
前記調整可能な受け器が、前記ボールジョイントで、互いに対向して位置する第１ヨーク肩部および第２ヨーク肩部の間に走る軸（Ｙ−Ｙ）に垂直である平面に対し、２８度のあらかじめ設定された回転範囲を有し、前記調整可能機器受け器は、前記中央部の前記近位端から前記遠位端に走る長手方向軸（Ｘ−Ｘ）と整列される、請求項１に記載の携帯式支持機器。
【請求項１０】
前記第１側部または前記第２側部の少なくとも１つが、前記第１側部または前記第２側部の少なくとも１つと一体的に形成された開口ツールを含み、前記開口ツールが前記第１側部または前記第２側部の少なくとも１つに形成されたフィレットとへこみ部とを含み、前記フィレットと前記へこみ部は互いに隣接され、前記開口ツールがボトルオープナーである、請求項１に記載の携帯式支持機器。
【請求項１１】
前記ボールと前記つまみが硬質プラスチックを含む材料から一体的に形成される、請求項７に記載の携帯式支持機器。
【請求項１２】
前記ボールジョイントの前記受けヨークは、前記ボールが形成される硬質プラスチックよりも柔らかいプラスチックを含む材料から形成され、前記ボールジョイントの前記受けヨークは、前記調整可能機器受け器の前記ボールに圧縮力をかけて、あらかじめ設定された回転範囲の間に前記調整可能機器受け器を移動させる、請求項７に記載の携帯式支持機器。
【請求項１３】
前記第１および前記第２側部のそれぞれが、前記中央部の個々の第１および第２ストップ支持体に接触するまで、前記展開された構成で回転するように動作可能である、請求項２から６のいずれか１項に記載の携帯式支持機器。
【請求項１４】
ストップ支持体のそれぞれは、個々の側部が、前記展開された構成で、個々のストップ支持体と同一平面であるように、前記中央部の長手方向軸（Ｘ−Ｘ）に対してあらかじめ設定された角度に配向される、請求項１３に記載の携帯式支持機器。
【請求項１５】
前記ストップ支持体の１つまたは両方が、さらに、前記ストップ支持体を前記個々の側部に固定するためのロック機構を含み、前記ロック機構が、クリックフィットコネクタ、バンド、またはフックおよび面ファスナーである、請求項１４に記載の携帯式支持機器。
【国際調査報告】
2018503031.tif 000021
2018503031.tif 000022